(57)【要約】【課題】ディスクの二重挿入を防止するための専用機構を不要とし、装置の薄型化を実現したディスクプレーヤを提供すること。【解決手段】揺動自在なローラプレート２７に支持されたローディングローラ２５を本体１の挿入口２３に配置し、この挿入口２３からドライブユニット９に向けてディスクが引き込まれた場合、この引き込み動作に連動してローラプレート２７を揺動させて、ローディングローラ２５をドライブユニット９から離間させる構成を備えると共に、挿入口２３の近傍に挿入口２３の側方に開放される一対のゲート部材５９を備え、ディスクが引き込まれ、この引き込み動作に連動してローラプレート２７が揺動した場合、一対のゲート部材５９の側方への開放を規制する規制部９０をローラプレート２７に設けた。【選択図】図７
2007257705.tif 000002
【特許請求の範囲】
【請求項１】
揺動自在なローラプレートに支持されたローディングローラを本体の挿入口に配置し、この挿入口からドライブユニットに向けてディスクが引き込まれた場合、この引き込み動作に連動して前記ローラプレートを揺動させて、前記ローディングローラを前記ドライブユニットから離間させる構成を備えると共に、前記挿入口の近傍に挿入口の側方に開放される一対のゲート部材を備え、前記ディスクが引き込まれ、この引き込み動作に連動して前記ローラプレートが揺動した場合、前記一対のゲート部材の側方への開放を規制する規制部を前記ローラプレートに設けたことを特徴とするディスクプレーヤ。
【請求項２】
前記規制部は、前記ローラプレートの前端部から上方に延出して形成されていることを特徴とする請求項１に記載のディスクプレーヤ。
【請求項３】
前記規制部は、所定間隔を設けて複数形成されていることを特徴とする請求項１または２に記載のディスクプレーヤ。
【請求項４】
前記一対のゲート部材は、前記本体のシャーシの外面に支持部材を介して揺動自在に支持された一対のターンプレートと、このターンプレートに取り付けられ、前記挿入口に臨む前記一対のゲートピンとを備え、これら一対のゲートピンと前記規制部とを前記挿入口の高さ方向でラップさせたことを特徴とする請求項１乃至３のいずれかに記載のディスクプレーヤ。
【発明の詳細な説明】
【技術分野】
【０００１】
本発明は、車両に搭載されてＣＤ（コンパクトディスク）、ＤＶＤ（デジタル・バーサタイル・ディスク）等の記録媒体ディスクの情報を再生するディスクプレーヤに関する。
【背景技術】
【０００２】
一般に、車両に搭載されるＣＤ、ＤＶＤプレーヤ等の従来のディスクプレーヤでは、ディスクを挿入口から吸い込んで、本体内に引き込まれた当該ディスクをターンテーブルにクランプさせチャッキングして再生している（例えば、特許文献１参照）。
この種のものでは、挿入口を通じて複数枚のディスクが本体内に引き込まれることを防止するために、挿入口に二重挿入防止機構を設けるものが提案されている（例えば、特許文献２参照）。
【特許文献１】ＷＯ／２００１／０９１１１９号
【特許文献２】実開平０２−４２２４０号公報
【発明の開示】
【発明が解決しようとする課題】
【０００３】
しかし、従来の構成では、二重挿入防止機構は、ディスクを本体内に引き込む機構や再生する機構とは別個に挿入口に設けられるため、これにより装置が大型化し、特に装置の厚さ方向の寸法が大きくなるといった問題があった。
【０００４】
そこで、本発明の目的は、上述した従来の技術が有する課題を解消し、ディスクの二重挿入を防止するための専用機構を不要とし、これにより装置の薄型化を実現したディスクプレーヤを提供することにある。
【課題を解決するための手段】
【０００５】
本発明は、揺動自在なローラプレートに支持されたローディングローラを本体の挿入口に配置し、この挿入口からドライブユニットに向けてディスクが引き込まれた場合、この引き込み動作に連動して前記ローラプレートを揺動させて、前記ローディングローラを前記ドライブユニットから離間させる構成を備えると共に、前記挿入口の近傍に挿入口の側方に開放される一対のゲート部材を備え、前記ディスクが引き込まれ、この引き込み動作に連動して前記ローラプレートが揺動した場合、前記一対のゲート部材の側方への開放を規制する規制部を前記ローラプレートに設けたことを特徴とする。
【０００６】
この構成によれば、ディスクを本体内に引き込む際に、この引き込み動作に連動してローラプレートが揺動することによって、このローラプレートに支持されたローディングローラをドライブユニットから離間させるとともに、当該ローラプレートに設けられた規制部がゲート部材の側方への開放を規制するため、ディスクの二重挿入が防止される。従って、ディスクの二重挿入を防止するための専用機構が不要となり、その分だけ装置が小型化し、この装置の薄型化を実現できる。
【０００７】
この場合において、前記規制部は、前記ローラプレートの前端部から上方に延出して形成されている構成としても良い。また、前記規制部は、所定間隔を設けて複数形成されている構成としても良い。また、前記一対のゲート部材は、前記本体のシャーシの外面に支持部材を介して揺動自在に支持された一対のターンプレートと、このターンプレートに取り付けられ、前記挿入口に臨む前記一対のゲートピンとを備え、これら一対のゲートピンと前記規制部とを前記挿入口の高さ方向でラップさせた構成としても良い。
【発明の効果】
【０００８】
本発明によれば、ディスクを本体内に引き込む際に、この引き込み動作に連動してローラプレートが揺動することによって、このローラプレートに支持されたローディングローラをドライブユニットから離間させるとともに、当該ローラプレートに設けられた規制部がゲート部材の側方への開放を規制するため、ディスクの二重挿入が防止される。従って、ディスクの二重挿入を防止するための専用機構が不要となり、その分だけ装置が小型化し、この装置の薄型化を実現できる。
【発明を実施するための最良の形態】
【０００９】
以下、本発明の一実施の形態を、図面に基づき説明する。
図１は、本実施の形態に係るディスクプレーヤの外観を示す斜視図である。このディスクプレーヤには、ＣＤ、ＤＶＤ等の例えば直径８ｃｍや、直径１２ｃｍ等の大きさの異なる記録媒体ディスクが引き込まれて、このディスクに記録された情報が再生される。１は本体を示し、この本体１は板金製のシャーシ３を備えている。このシャーシ３はロアーシャーシ５と、このロアーシャーシ５の上方を覆うアッパーシャーシ７とを備え、その内側には、図１では図示を省略したが、ディスクをローディングするためのローディングメカニズム、それをクランプするためのクランパメカニズム、それをドライブするためのドライブメカニズム等が設けられている。
【００１０】
図２は、アッパーシャーシ７を取り外した斜視図であり、図３は、ロアーシャーシ５の斜視図であり、図４は、ロアーシャーシ５にドライブユニット９を取り付けた左方視の斜視図であり、図５は、同じくロアーシャーシ５にドライブユニット９を取り付けた右方視の斜視図である。
【００１１】
上記ロアーシャーシ５は、図３に示すように、枠状に形成され、このロアーシャーシ５には、ダンパ及びばねを備えた３つの防振構造体１１が取り付けられ、この防振構造体１１の上に、図２に示すように、クランパメカやドライブメカが一体化されたドライブユニット９が載置されて、フローティング支持されている。
このドライブユニット９は、図４及び図５に示すように、ベースプレート１３と、このベースプレート１３の後端部の両側にヒンジ１５で連結され、先端１７Ａを閉じる方向にばね付勢されて、ベースフレーム１３と協働してディスクを挟持するスイングプレート１７とを備えている。このスイングプレート１７の先端１７Ａには回転板１９が支持され、この回転板１９に対向するマグネット入りのターンテーブル２１が、ベースプレート１３に支持されている。そして、後述するように、ディスクが挿入されて、スイングプレート１７が閉じると、先端１７Ａの回転板１９とターンテーブル２１とで挟持されてディスクが回転可能になる。
【００１２】
図１に示すように、本体１の前面には横長のディスクの挿入口２３が形成され、この挿入口２３の奥には、図２に示すように、ロアーシャーシ５の前部のモータ２４で駆動されるローディングローラ２５が設けられている。
このローディングローラ２５は、ディスクが検知されると、モータ２４により駆動されて、当該ディスクを本体１内に引き込む。このローディングローラ２５は、ローラプレート２７に支持されている。このローラプレート２７は、その両端を上方に屈曲させて形成した屈曲部２７Ａを備え、この屈曲部２７Ａの後端側にローディングローラの駆動（回転）軸２５Ａを回転自在に支持する軸受部２９が形成されている。また、屈曲部２７Ａの前端側にはヒンジピン２８が設けられ、ローラプレート２７は、このヒンジピン２８を介して、ロアーシャーシ５の側板に揺動自在に連結されている。従って、このローディングローラ２５は、ローラプレート２７の揺動により、その高さ位置を変位させて、ドライブユニット９のディスクに離接可能に構成されている。また、ローラプレート２７は、図示を省略したばねにより、このローラプレート２７の先端を下げて、ローディングローラ２５を持ち上げる方向に付勢されている。
【００１３】
ドライブユニット９の上面の左後部には支持ピン３０を介してトリガープレート３１が揺動自在に支持されている。このトリガープレート３１は、ばね３１Ｓにより、反時計方向に付勢されており、その一端３１Ａには、ドライブユニット９の内方に折り曲げられた、２つの爪部３２，３３が各々一体に形成されている。一方の爪部３２には、引き込まれた８ｃｍディスクが当接可能であり、他方の爪部３３には、引き込まれた１２ｃｍディスクが当接可能である。トリガープレート３１の他端３１Ｂは、ドライブユニット９の外側に延出し、ドライブユニット９の外壁に沿って下方に折り曲げられている。この他端３１Ｂは、ロアーシャーシ５に配置されたトリガー３５の後面３５Ｋに当接する。そして、ディスクが本体１に引き込まれ、爪部３２，３３のいずれかに当接し、トリガープレート３１が反時計方向に回動すると、このトリガープレート３１が、トリガー３５を前進（矢印Ｘの方向）させる。このトリガー３５は、図示を省略したばねにより、通常時、他端３１Ｂ側（矢印Ｙの方向）に付勢されている。
【００１４】
このトリガー３５の一部は、図４に示すように、ロアーシャーシ５の底部を前方に延出し、この延出部の上面にはトリガーラックギア３５Ａが一体に形成されている。このトリガーラックギア３５Ａの前方には、ロアーシャーシ５の側板５Ａに支持されたファイナルギア３７（図３参照）が配置されている。このファイナルギア３７は、通常時にトリガーラックギア３５Ａに噛み合わない位置に支持されており、トリガープレート３１が回動して、トリガー３５が前進したときにのみ、トリガーラックギア３５Ａに噛み合う。ファイナルギア３７は、図２に示すように、複数のギアからなるギア輪列３８を介して、ロアーシャーシ５の前部の上記モータ２４に連結されており、モータ２４の駆動時に、トリガーラックギア３５Ａとファイナルギア３７とが一旦噛み合うと、それ以後は、ファイナルギア３７、モータ２４の駆動力でトリガー３５が前進する。
【００１５】
このトリガー３５には、図４に示すように、トリガーカム４１が一体に連結されている。このトリガーカム４１は、ギア輪列３８の内側を当該ギア輪列３８と平行に延出し、その中程の上面には前方が徐々に、階段状に高くなるカム面４１Ａが形成され、その先端部にはローディングローラ２５の駆動軸２５Ａ（図２参照）を案内する前上がりの階段状の傾斜溝４１Ｂが形成されている。カム面４１Ａには、ドライブユニット９のスイングプレート１７の一部１７Ｂが当接している。
トリガー３５がファイナルギア３７に噛み合い、ストロークエンドに移動した後、トリガーカム４１を押し出し、トリガーカム４１のラックがファイナルギア３７と噛み合い、トリガーカム４１が前進（矢印Ｘの方向）する。
【００１６】
上記トリガーカム４１が前進（矢印Ｘの方向）すると、上記一部１７Ｂが当接しているカム面４１Ａが徐々に低くなって、スイングプレート１７が、ばね力で閉じる方向に揺動し、さらに前進してトリガーカム４１が前進限界の位置に移動すると、一部１７Ｂがカム面４１Ａから完全に離れ、スイングプレート１７の先端の回転板１９と、ターンテーブル２１とによるディスクのクランプが完了する。それと同時に、スイングプレート１７の一部１７Ｂとカム面４１Ａとの係合解除によって、ドライブユニット９が、３つの防振構造体１１を介して完全にフローティング支持される。
また、同時に、ローディングローラ２５の駆動軸２５Ａが、傾斜溝４１Ｂに沿って低い位置に移動し、ローラプレート２７は、ばね力に抗して揺動することにより、ローディングローラ２５が低く変位し、このローディングローラ２５が、クランプ時のディスクの下面から離れる。この状態において、ターンテーブル２１を回転させてディスクの再生が行われる。
【００１７】
上記モータ２４を逆回転させると、ギア輪列３８、ファイナルギア３７及びトリガーラックギア３５Ａを介して、トリガー３５及びトリガーカム４１が後退（矢印Ｙの方向）する。それに伴って、上記一部１７Ｂが当接しているカム面４１Ａが徐々に高くなり、スイングプレート１７が、ばね力に抗して押し上げられて開く方向に揺動する。さらに後退してトリガーカム４１が後退限界の位置に移動すると、一部１７Ｂがカム面４１Ａの最も高い位置に乗り上げて、スイングプレート１７の先端の回転板１９と、ターンテーブル２１との間にディスク挿入用の隙間を形成する。
【００１８】
それと同時に、ローディングローラ２５の駆動軸２５Ａが、傾斜溝４１Ｂに沿って徐々に高い位置に移動し、後退限界の位置では、ローラプレート２７の揺動により、ローディングローラ２５が、ディスクの下面に接触するまで高く変位する。そして、このディスクはローディングローラ２５によりイジェクトされる。
ディスクをイジェクトした後に、ローディング待機の状態となる。イジェクトもしくはローディング待機の状態では、ドライブユニット９が、図示を省略した機構によりロアーシャーシ５にロックされる。
【００１９】
本構成では、図２に示すように、ローラプレート２７の前端には、このローラプレート２７の一部を上方に立ち上げた後、水平に屈曲して形成された２つの爪部９１、９２が各々一体に形成されている。これら爪部９１、９２は、ディスクがドライブユニット９に引き込まれてクランプされた場合に、ローラプレート２７の揺動により、挿入口２３内に延在（図１参照）し、この挿入口２３に配置される一対のゲート部材５９の側方への開放を規制する規制部９０として機能する。
このゲート部材５９は、後に詳細に説明するが、図１に示すように、挿入口２３に対しほぼ中心振り分けで配置された一対のターンプレート６２，６３を備え、これらターンプレート６２，６３は、アッパーシャーシ７の前部外面に、各々ピン（支持部材）６４，６５を介して連結されている。ターンプレート６２，６３は、ばね６０，６１により、閉じる方向（矢印Ａの方向）に付勢され、このターンプレート６２，６３には、挿入口２３に臨む一対のゲートピン６７，６８が取り付けられている。
【００２０】
図６は、ディスクが引き込まれる前のローラプレート２７の状態を示す斜視図であり、図７は、ディスクが引き込まれた後のローラプレート２７の状態を示す斜視図である。
爪部９１、９２は、ディスクが本体１内に引き込まれていない場合には、図６に示すように、挿入口２３の下面よりも下方に位置する。これによれば、ディスクを挿入する際に、ゲート部材５９のターンプレート６２，６３は、ピン６４，６５を介して、自由に開く方向（矢印Ｂの方向）に回動するため、爪部９２、９３がディスクの挿入を阻害することや、ディスクの記録面に傷をつけることはない。
【００２１】
一方、ディスクが本体１内に引き込まれた場合には、図７に示すように、トリガーカム４１が前進（矢印Ｘの方向）して前進限界の位置に移動すると、ローディングローラ２５の駆動軸２５Ａが傾斜溝４１Ｂに沿って低い位置に移動し、ローラプレート２７が揺動する。これにより、ローラプレート２７に形成された爪部９２、９３は挿入口２３の下面よりも上方に突出する。この場合、爪部９２、９３は、それぞれゲートピン６７、６８よりも当該挿入口２３の側方に位置するように、所定の間隔を設けて形成されているため、爪部９２、９３が挿入口２３に突出することにより、ゲート部材５９のターンプレート６２，６３は、このターンプレート６２、６３が開く方向（矢印Ｂの方向）への回動が防止され、ディスクの二重挿入が防止される。このため、ディスクの二重挿入を防止するための専用機構が不要となり、従来のものに比べて、その分だけ装置が小型化し、この装置の薄型化を図ることができる。
また、これら爪部９２、９３が挿入口２３内に突出した場合、当該爪部９２、９３は、ゲートピン６７、６８と挿入口２３の高さ方向でラップするように形成されている。このため、これら爪部９２、９３を挿入口２３の高さ一杯に突出させる必要はなく、当該爪部９２、９３の高さを、挿入口２３の高さよりも低く抑えることができる。従って、ディスクを本体１内に引き込む場合には、このディスクが搬送される経路と爪部９２、９３の上端部との距離を大きく確保できることにより、当該ディスクの記録面が傷つくことが防止される。
【００２２】
ゲート部材５９の側方への開放を抑えるためには、ゲートピン６７、６８と爪部９２、９３とが高さ方向に僅かにでもラップすれば良い。このため、爪部９２、９３の高さ、及び、ローラプレート２７の揺動ストロークを小さく抑えることができる。従って、この揺動ストロークを小さくすることにより、従来のものに比べて、本体１内におけるローラプレート２７の高さ方向の動作距離を小さく設定することができるため、本体１の厚みを小さくすることができ、製品の薄型化を図ることができる。
本構成では、ローラプレート２７の揺動ストロークを小さくした場合であっても、このローラプレート２７の設けられた爪部９２、９３がゲート部材５９のターンプレート６２，６３に設けられたゲートピン６７、６８と係合するため、当該爪部９２、９３によって、ゲート部材５９の側方への開放を確実に規制することができ、ディスクの二重挿入を確実に防止できる。
【００２３】
本実施形態によれば、揺動自在なローラプレート２７に支持されたローディングローラ２５を本体１の挿入口２３に配置し、この挿入口２３からドライブユニット９に向けてディスクが引き込まれた場合、この引き込み動作に連動してローラプレート２７を揺動させて、ローディングローラ２５をドライブユニット９から離間させる構成を備えると共に、挿入口２３の近傍に挿入口２３の側方に開放される一対のゲート部材５９を備え、ディスクが引き込まれ、この引き込み動作に連動してローラプレート２７が揺動した場合、一対のゲート部材５９の側方への開放を規制する規制部９０をローラプレート２７に設けたため、このローラプレート２７を揺動させることによって、ローディングローラ２５をドライブユニット９から離間させる動作と、ゲート部材５９の側方への開放を規制してディスクの二重挿入を防止する動作とを、同時に実行することができる。このため、ディスクの二重挿入を防止するための専用機構が不要となり、従来のものに比べて、その分だけ装置が小型化し、この装置の薄型化を図ることができる。
【００２４】
また、本実施形態によれば、一対のゲート部材５９は、本体１のアッパーシャーシ７の外面にピン６４、６５を介して揺動自在に支持された一対のターンプレート６２、６３と、このターンプレート６２、６３に取り付けられ、挿入口２３に臨む一対のゲートピン６７、６８とを備え、これら一対のゲートピン６７、６８と爪部９２、９３とを挿入口２３の高さ方向でラップさせているため、この爪部９２、９３が設けられているローラプレート２７の揺動ストロークを小さく抑えることができ、本体１内におけるローラプレート２７の高さ方向の動作距離を、従来のものに比べて、小さく設定することができるため、本体１の厚みを小さくすることができ、製品の薄型化を図ることができる。
【００２５】
また、上述したように、本構成では、図１に示すように、挿入されるディスクの外周部に当接して当該挿入口２３の側方に退避する一対のゲート部材５９を、ディスクの挿入口２３に備えて構成されている。
次に、このゲート部材５９の構成について説明する。
このゲート部材５９は、図８に示すように、挿入口２３に対しほぼ中心振り分けで配置された一対のターンプレート６２，６３を備え、このターンプレート６２，６３の基部にはスライド孔６２Ａ，６３Ａがあけられ、このスライド孔６２Ａ，６３Ａに嵌るピン７１，７２が、連結プレート７３に各々取り付けられている。これらターンプレート６２，６３の基部同士は、連結プレート７３で連結されている。この連結プレート７３にはピン１７３が固定され、このピン１７３は、図１１に示すように、アッパーシャーシ７の縦孔１０７に嵌り、アッパーシャーシ７の下面に臨んでいる。縦孔１０７の中程の両孔壁には、縦孔１０７の幅Ｗよりも拡径した円弧溝１０７Ａ，１０７Ｂが形成されている。また、図８に示すように、この連結プレート７３には、ディスクの挿入方向（矢印Ｚの方向）に延びた一対のガイド孔７４，７５が形成され、このガイド孔７４，７５に嵌る案内部７６，７７は、アッパーシャーシ７の一部を切り起こして、上方に立ち上げた後、水平に曲げて形成され、この立ち上げた細い部分がガイド孔７４，７５に嵌る。７８はアッパーシャーシ７に取り付けられたプレートであり、このプレート７８はターンプレート６２，６３の閉じ方向のストッパとして機能する。
【００２６】
ディスクが挿入口２３に挿入された場合、ディスクは、上記ゲートピン６７，６８を側方に押し退ける。例えば、１２ｃｍ径の大きいディスク１００が挿入されると、図９に示すように、ディスク１００の外周部１００Ａが、一対のゲートピン６７，６８を挿入口２３の側方に押し退け、ターンプレート６２，６３が開く方向（矢印Ｂの方向）に回動する。この回動に伴い、ピン７１，７２が、スライド孔６２Ａ，６３Ａの中を移動し、これにより、ターンプレート６２，６３の揺動に連動し、連結プレート７３が、案内部７６，７７に沿ってディスク挿入方向（矢印Ｚの方向）に往復移動する。
【００２７】
図１０は、８ｃｍ径の小さいディスク２００を挿入する場合の斜視図である。この場合には、挿入口２３の幅に比してディスク径が小さいため、挿入口２３の一方の端に偏って挿入される恐れがある。例えば、ディスク２００が一方のゲートピン６７の側に偏って挿入された場合、他方のゲートピン６８をほとんど押し退けずに、一方のピン６７だけを押し退けた状態になる。この場合には、一方のゲートピン６７の側のターンプレート６２だけが開く方向（矢印Ｂの方向）に回動する。
【００２８】
本構成では、他方のターンプレート６３が開かないで、一方のターンプレート６２だけが開く場合、連結プレート７３は、ピン７２の側が回動せずに、ピン７１の側だけが回動する。この場合、連結プレート７３が斜めになる。
【００２９】
この連結プレート７３が斜めになると、図１１Ｂを参照し、縦孔１０７を移動するピン１７３が、縦孔１０７の途中で傾いた方のいずれかの円弧溝１０７Ａ，１０７Ｂに嵌り、連結プレート７３が、それ以上、ディスク２００の挿入方向（矢印Ｚの方向）に移動しなくなり、従って、ターンプレート６２，６３のそれ以上の回動が阻止されて、ディスクの挿入が阻止される。この状態は、ディスク２００が他方のゲートピン６８の側に偏って挿入された場合も同様である。なお、ピン１７３及び円弧溝１０７Ａ，１０７Ｂがロック手段を構成している。
【００３０】
すなわち、本実施の形態では、挿入口２３の端に偏ってディスク２００が挿入された場合、縦孔１０７を移動するピン１７３が、縦孔１０７の途中で傾いた方のいずれかの円弧溝１０７Ａ，１０７Ｂに嵌り、それ以上、連結プレート７３が前後方向に移動できなくなり、連結プレート７３がロックされる。これによれば、いわゆる挿入口２３の端に偏ったディスクの挿入が禁止される。
【００３１】
すなわち、本構成では、挿入口２３の端に偏ってディスク２００が挿入された場合、縦孔１０７を移動するピン１７３が、縦孔１０７の途中で傾いた方のいずれかの円弧溝１０７Ａ，１０７Ｂに嵌り、それ以上、連結プレート７３が前後方向に移動できなくなり、連結プレート７３がロックされる。これによれば、いわゆる挿入口２３の端に偏ったディスクの挿入が禁止される。
従って、従来のような、片側に寄った状態で吸い込まれたディスクを本体の内側で中央に案内するための機構が不要になり、その分、装置を小型化でき、特に装置の厚さ方向の寸法を小さくできる。
【００３２】
図１１は、アッパーシャーシ７を裏側から見た斜視図である。アッパーシャーシ７の内面には、アッパーシャーシ７の組み付け時に下方（ローディングローラ２５に相対する側）に突出して、挿入口２３に挿入されたディスクを下方（または上方）に案内する、２列に延びるガイドバー（案内機構）８１，８２が設けられる。
【００３３】
これらガイドバー８１，８２は、挿入口２３の横方向に相互に平行に延出し、各々が、挿入口２３の端に向けて高さを徐々に大きくする。手前のガイドバー８１は、中心に近い位置ｍから突部８１Ａの高さを徐々に大きくし、奥のガイドバー８２は、それよりも端に寄った位置ｎから突部８２Ａの高さを徐々に大きくする。一対のガイドバー８１，８２にはローディングローラ２５が対向し、このローラ２５とガイドバー８１，８２とに挟持されて、ディスクがローディングされる。
【００３４】
図１２は、８ｃｍ径のディスク２００を挿入した場合の断面図、図１３は、同じく斜視図、図１４は、１２ｃｍ径のディスク１００を挿入した場合の断面図、図１５は、同じく斜視図である。
【００３５】
図１２に示すように、８ｃｍ径のディスク２００を挿入した場合、挿入口２３から挿入されたディスク２００は、ローディングローラ２５と、各ガイドバー８１，８２の低い突部８１Ａ，８２Ａとの間に挟持されて、本体１の内側の高所に位置する第１のローディング経路ＲＫ１に沿って、本体１の奥にローディングされる。第１のローディング経路ＲＫ１の終端部には、第１のディスク当接部８３が位置し、ディスク２００は、第１のディスク当接部８３に当接して停止し、この段階でディスク２００が、図１３に示すように、トリガープレート３１の爪部３２を押動し、これをトリガーに、上述したように、ディスク２００のクランプ動作が実行される。
【００３６】
図１４に示すように、１２ｃｍ径のディスク１００を挿入した場合、挿入口２３から挿入されたディスク１００は、ローディングローラ２５と、各ガイドバー８１，８２の高くなった突部８１Ａ，８２Ａとの間に挟持されて、本体１の内側の低所に位置する第２のローディング経路ＲＫ２に沿って、本体１の奥にローディングされる。図１５に示すように、１２ｃｍ径のディスク１００の外周（図中右奥）にはガイドバー３３１が当接可能に形成されている。このガイドバー３３１はピン３１０により回動自在に支持され、ばね３１２を介して、ピン３１０回りを時計方向に付勢されている。図１３に示すように、ガイドバー３３１の自由端の下面には、奥下がりのテーパ面３１３が形成され、１２ｃｍ径のディスク１００が挿入されると、まず、このテーパ面３１３に沿ってディスク１００の先端１００Ａが下方に向けられ、トリガープレート３１の爪部３２が交わされる。そして、ディスク１００がさらに奥に進入すると、ガイドバー３３１が、ピン３１０回りを反時計方向に回動し、このガイドバー３３１がディスク１００の外周をガイドしつつ、安定したローディングが実行される。第２のローディング経路ＲＫ２の終端部には、第２のディスク当接部８４が位置しており、ディスク１００は、第２のディスク当接部８４に当接して停止して、この段階でディスク１００が、図１５に示すように、トリガープレート３１の爪部３３を押動し、これをトリガーにして、上述したように、ディスク１００のクランプ動作が実行される。このクランプが完了すると、上記ガイドバー３３１の下面の突起３１４が、スイングプレート１７側の窪み（図示せず）に嵌合し、このガイドバー３３１が、ディスク１００の外周から離れて固定される。従って、演奏時に、ガイドバー３３１がディスク１００に接触することがない。
【００３７】
本構成では、本体１の内側に上下に分けて異なるローディング経路ＲＫ１、ローディング経路ＲＫ２を形成したため、従来のように、ローディング経路の終端部に、径の異なるディスクを保持するための複雑な機構を設ける必要がなくなり、装置の薄型化を実現することができる。また、本構成は、例えば材質等が異なるディスクをローディングするディスクプレーヤにも適用でき、この場合、ローディング経路及びガイドバー８１，８２に材質等に応じた工夫を施せば、ディスクに傷等のつかないものが提供される。
【図面の簡単な説明】
【００３８】
【図１】本発明に係るディスクプレーヤの一実施の形態を示す斜視図である。
【図２】アッパーシャーシを取り外した斜視図である。
【図３】ロアーシャーシの斜視図である。
【図４】ロアーシャーシにドライブユニットを取り付けた左方視の斜視図である。
【図５】ロアーシャーシにドライブユニットを取り付けた右方視の斜視図である。
【図６】ディスクが引き込まれる前のローラプレートの状態を示す斜視図である。
【図７】ディスクが引き込まれた後のローラプレートの状態を示す斜視図である。
【図８】一対のゲート部材を示す斜視図である。
【図９】１２ｃｍディスクでゲート部材を開いた状態を示す斜視図である。
【図１０】８ｃｍディスクでゲート部材を開いた状態を示す斜視図である。
【図１１】Ａはアッパーシャーシを裏側から見た斜視図、Ｂは縦孔を示す図である。
【図１２】８ｃｍディスクを挿入した場合の断面図である。
【図１３】同じく斜視図である。
【図１４】１２ｃｍディスクを挿入した場合の断面図である。
【図１５】同じく斜視図である。
【符号の説明】
【００３９】
１  本体
３  シャーシ
５  ロアーシャーシ
７  アッパーシャーシ
２３  挿入口
２５  ローディングローラ
２７  ローラプレート
５９  ゲート部材
６２，６３  ターンプレート
６４，６５  ピン（支持部材）
６７，６８  ゲートピン
９０  規制部
９１、９２  爪部
【図１】
2007257705.tif 000003
【図２】
2007257705.tif 000004
【図３】
2007257705.tif 000005
【図４】
2007257705.tif 000006
【図５】
2007257705.tif 000007
【図６】
2007257705.tif 000008
【図７】
2007257705.tif 000009
【図８】
2007257705.tif 000010
【図９】
2007257705.tif 000011
【図１０】
2007257705.tif 000012
【図１１】
2007257705.tif 000013
【図１２】
2007257705.tif 000014
【図１３】
2007257705.tif 000015
【図１４】
2007257705.tif 000016
【図１５】
2007257705.tif 000017